(57)【要約】【課題】クッキーを使用することなしに、ウェブページのアクセス履歴を追跡して記録することを可能にすると共に、どのウェブサーバのウェブページ上のバナー、または電子メール上のバナーからアクセスしてきたかが判明するようにする。【解決手段】ウェブサイトの所定のページが外部から新規にアクセスされた場合に、所定のページのアクセスログに一意の訪問者ＩＤを付与し、所定のページをアクセスしたＵＲＬに付加されているリンクＩＤと、訪問者ＩＤとを対応付けて記憶手段に記憶させ、アクセスを受け付けたページのアクセスログに訪問者ＩＤを付加して記憶手段に記憶させ、同一の訪問者ＩＤが付与されたアクセスログをアクセス順に配列したページ遷移テーブルを生成して記記憶手段に記憶させる。【選択図】図１
2007109097.tif 000002
【特許請求の範囲】
【請求項１】
それぞれ一意にＵＲＬが付与された複数のウェブページを含むウェブサイトを公開しており、外部からアクセスされた際のリンク関係を特定することが可能なリンクＩＤが付加されたＵＲＬにより指定される前記ウェブサイトの所定のページに外部からアクセスすることが可能であり、前記ウェブサイトの各ページそれぞれに対するアクセス状況を記録したアクセスログを記憶手段に記憶させるコンピュータの前記ウェブサイトのアクセス履歴を記録するウェブサイトアクセス履歴記録方法において、
前記所定のページが外部から新規にアクセスされた場合に、前記所定のページのアクセスログに一意の訪問者ＩＤを付与させる第１のステップと、
前記所定のページをアクセスしたＵＲＬに付加されているリンクＩＤと、前記訪問者ＩＤとを対応付けて前記記憶手段に記憶させる第２のステップと、
外部からのアクセスに応じて前記所定のページを表示する第３のステップと、
前記所定のページを含む前記ウェブサイトのいずれかのページ上で前記ウェブサイト内の他のページへのアクセスを受け付ける第４のステップと、
該第４のステップでアクセスを受け付けたページのアクセスログに前記訪問者ＩＤを付加して前記記憶手段に記憶させる第５のステップと、
同一の訪問者ＩＤが付与されたアクセスログをアクセス順に配列してアクセス履歴を記録したページ遷移テーブルを生成して前記記憶手段に記憶させる第６のステップと
を含むことを特徴とするウェブサイトアクセス履歴記録方法。
【請求項２】
それぞれ一意にＵＲＬが付与された複数のウェブページを含む契約の申込に係るウェブサイトを公開しており、外部からアクセスすることが可能であり、前記ウェブサイトの各ページそれぞれに対するアクセス状況を記録したアクセスログを記憶手段に記憶させるコンピュータの前記ウェブサイトのアクセス履歴に、契約の申込により生じる事象を管理する管理コンピュータからのＩＤを組み合わせて記録するウェブサイトアクセス履歴記録方法であって、
前記所定のページが外部から新規にアクセスされた場合に、前記所定のページのアクセスログに一意の訪問者ＩＤを付与させる第１のステップと、
前記所定のページをアクセスしたＵＲＬに付加されているリンクＩＤと、前記訪問者ＩＤとを対応付けて前記記憶手段に記憶させる第２のステップと、
外部からのアクセスに応じて前記所定のページを表示する第３のステップと、
前記所定のページを含む前記ウェブサイトのいずれかのページ上で前記ウェブサイト内の他のページへのアクセスを受け付ける第４のステップと、
該第４のステップでアクセスを受け付けたページのアクセスログに前記訪問者ＩＤを付加して前記記憶手段に記憶させる第５のステップと、
同一の訪問者ＩＤが付与されたアクセスログをアクセス順に配列してアクセス履歴を記録したページ遷移テーブルを生成する第６のステップと、
該ページ遷移テーブルに前記管理コンピュータからの「契約の成立」又は「契約の成立に伴う行為」のいずれかの事象に関連する取引ＩＤを追加して前記記憶手段に記憶させる第７のステップと
を含むことを特徴とするウェブサイトアクセス履歴記録方法。
【請求項３】
前記請求項１に記載のウェブサイトアクセス履歴記録方法で生成されるページ遷移テーブルに基づき前記コンピュータの前記ウェブサイトにアクセスさせたリンクを特定するリンク特定方法であって、
前記ウェブサイトへのアクセスが切断された場合に、前記第６のステップで生成されたページ遷移テーブル中の最後のアクセスログに対応するＵＲＬと、所定のＵＲＬとを比較するステップと、
前記比較の結果が一致した場合に、比較対象のＵＲＬに付加されている訪問者ＩＤを前記ページ遷移テーブルから読み出すステップと、
前記ページ遷移テーブルから読み出された訪問者ＩＤに対応付けて前記記憶手段が記憶しているリンクＩＤを読み出すステップと
を含むことを特徴とするリンク特定方法。
【請求項４】
前記ウェブサイトのコンテンツは商取引に関するコンテンツであり、前記所定のＵＲＬは「契約の申込み完了」のコンテンツを表示するページのＵＲＬであることを特徴とする請求項３に記載のリンク特定方法。
【請求項５】
前記請求項１に記載のウェブサイトアクセス履歴記録方法で生成されるページ遷移テーブルに基づき前記コンピュータの前記ウェブサイトにアクセスさせたリンクを特定するリンク特定方法であって、
前記ウェブサイトのコンテンツは商取引に関するコンテンツであり、
前記ウェブサイトへのアクセスが切断された場合に、前記第６のステップで生成されたページ遷移テーブル中の最後のアクセスログに取引ＩＤを付与するステップと、
前記取引ＩＤに関して「契約の成立」又は「契約の成立に伴う行為」のいずれかの事象が発生した場合に、当該取引ＩＤが付与されているページ遷移テーブルから訪問者ＩＤを読み出すステップと、
前記ページ遷移テーブルから読み出された訪問者ＩＤに対応付けて前記記憶手段が記憶しているリンクＩＤを読み出すステップと
を含むことを特徴とするリンク特定方法。
【請求項６】
前記リンクＩＤが他のコンピュータを特定するＩＤであり、前記所定のページへの外部からのアクセスが、前記他のコンピュータのウェブページ上に表示されたバナーにより受け付けられることを特徴とする請求項３乃至５のいずれかに記載のリンク特定方法。
【請求項７】
前記リンクＩＤが電子メールであることを示すＩＤであり、前記所定のページへの外部からのアクセスが、前記電子メール上に表示されたリンク部により受け付けられることを特徴とする請求項３乃至５のいずれかに記載のリンク特定方法。
【請求項８】
前記ページ遷移テーブルから読み出されたリンクＩＤの数を、それぞれのリンクＩＤ別に前記記憶手段に記憶させるステップを更に含むことを特徴とする請求項３又は５に記載のリンク特定方法。
【請求項９】
前記記憶手段に記憶されたそれぞれのリンクＩＤの数に応じてそれぞれのリンクＩＤにポイントを付与するステップを更に含むことを特徴とする請求項８に記載のリンク特定方法。
【請求項１０】
前記ウェブサイトのコンテンツは消費者金融に関するコンテンツであることを特徴とする請求項３乃至９のいずれかに記載のリンク特定方法。
【請求項１１】
それぞれ一意にＵＲＬが付与された複数のウェブページを含むウェブサイトを公開しており、外部からアクセスされた際のリンク関係を特定することが可能なリンクＩＤが付加されたＵＲＬにより指定される前記ウェブサイトの所定のページに外部からアクセスすることが可能であり、前記ウェブサイトの各ページそれぞれに対するアクセス状況を記録したアクセスログを記憶手段に記憶させるコンピュータの前記ウェブサイトのアクセスの履歴を記録するウェブサイトアクセス履歴記録システムにおいて、
前記所定のページが外部から新規にアクセスされた場合に、前記所定のページのアクセスログに一意の訪問者ＩＤを付与させる手段と、
前記所定のページをアクセスしたＵＲＬに付加されているリンクＩＤと、前記訪問者ＩＤとを対応付けて記憶手段に記憶させる手段と、
外部からのアクセスに応じて前記所定のページを前記コンピュータに表示させる手段と、
前記所定のページを含む前記ウェブサイトのいずれかのページ上で前記ウェブサイト内の他のページへのアクセスを受け付ける手段と、
該手段がアクセスを受け付けたページのアクセスログに前記訪問者ＩＤを付加して前記記憶手段に記憶させる手段と、
同一の訪問者ＩＤが付加されたアクセスログをアクセス順に配列してアクセス履歴を記録したページ遷移テーブルを生成して前記記憶手段に記憶させる手段と
を備えたことを特徴とするウェブサイトアクセス履歴記録システム。
【請求項１２】
前記請求項１１に記載のウェブサイトアクセス履歴記録システムで生成されるページ遷移テーブルに基づき前記コンピュータの前記ウェブサイトにアクセスさせたリンクを特定するリンク特定システムであって、
前記ウェブサイトへのアクセスが切断された場合に、前記ページ遷移テーブル中の最後のアクセスログに対応するＵＲＬと、所定のＵＲＬとを比較する比較手段と、
該比較手段による比較結果が一致した場合に、比較対象のＵＲＬに付与されている訪問者ＩＤを前記ページ遷移テーブルから読み出す訪問者ＩＤ読出手段と、
該訪問者ＩＤ読出手段が読み出した訪問者ＩＤに対応付けて前記記憶手段が記憶しているリンクＩＤを読み出すリンクＩＤ読出手段と
を備えたことを特徴とするリンク特定システム。
【請求項１３】
前記ウェブサイトのコンテンツは商取引に関するコンテンツであり、前記所定のＵＲＬは「契約の申込み完了」のコンテンツを表示するページのＵＲＬであることを特徴とする請求項１２に記載のリンク特定システム。
【請求項１４】
前記請求項１１に記載のウェブサイトアクセス履歴記録システムで生成されるページ遷移テーブルに基づき前記コンピュータの前記ウェブサイトにアクセスさせたリンクを特定するリンク特定システムであって、
前記ウェブサイトのコンテンツは商取引に関するコンテンツであり、
前記ウェブサイトへのアクセスが切断された場合に、前記ページ遷移テーブル中の最後のアクセスログに取引ＩＤを付与する手段と、
前記取引ＩＤに関して「契約の成立」又は「契約の成立に伴う行為」のいずれかの事象が発生した場合に、当該取引ＩＤが付与されているページ遷移テーブルから訪問者ＩＤを読み出す手段と、
前記ページ遷移テーブルから読み出された訪問者ＩＤに対応付けて前記記憶手段が記憶しているリンクＩＤを読み出すリンクＩＤ読出手段と
を備えたことを特徴とするリンク特定システム。
【請求項１５】
前記リンクＩＤが他のコンピュータを特定するＩＤであり、前記所定のページへの外部からのアクセスが、前記他のコンピュータのウェブページ上に表示されたバナーにより受け付けられることを特徴とする請求項１２乃至１４のいずれかに記載のリンク特定システム。
【請求項１６】
前記リンクＩＤが電子メールであることを示すＩＤであり、前記所定のページへの外部からのアクセスが、前記電子メール上に表示されたリンク部により受け付けられることを特徴とする請求項１２乃至１４のいずれかに記載のリンク特定システム。
【請求項１７】
前記リンクＩＤ読出手段が読み出したリンクＩＤの数を、それぞれのリンクＩＤ別に記憶する記憶手段を更に備えたことを特徴とする請求項１２又は１４に記載のリンク特定システム。
【請求項１８】
前記記憶手段に記憶されたそれぞれのリンクＩＤの数に応じてそれぞれのリンクＩＤにポイントを付与する手段を更に備えたことを特徴とする請求項１７に記載のリンク特定システム。
【請求項１９】
前記ウェブサイトのコンテンツは消費者金融に関するコンテンツであることを特徴とする請求項１２乃至１８のいずれかに記載のリンク特定システム。
【請求項２０】
それぞれ一意にＵＲＬが付与された複数のウェブページを含むウェブサイトを公開しており、外部からアクセスされた際のリンク関係を特定することが可能なリンクＩＤが付加されたＵＲＬにより指定される前記ウェブサイトの所定のページに外部からアクセスすることが可能であり、前記ウェブサイトの各ページそれぞれに対するアクセス状況を記録したアクセスログを記憶手段に記憶させるコンピュータに、前記ウェブサイトのアクセス履歴を記録させるコンピュータプログラムであって、
コンピュータに、前記所定のページが外部から新規にアクセスされた場合に、前記所定のページのアクセスログに一意の訪問者ＩＤを付与させる第１の手順と、
コンピュータに、前記所定のページをアクセスしたＵＲＬに付加されているリンクＩＤと、前記訪問者ＩＤとを対応付けて前記記憶手段に記憶させる第２の手順と、
コンピュータに、外部からのアクセスに応じて前記所定のページを表示させる第３の手順と、
コンピュータに、前記所定のページを含む前記ウェブサイトいずれかのページ上で前記ウェブサイト内の他のウェブページへのアクセスを受け付けさせる第４の手順と、
コンピュータに、前記第４の手順でアクセスを受け付けたページのアクセスログに前記訪問者ＩＤを付加して前記記憶手段に記憶させる第５の手順と、
コンピュータに、同一の訪問者ＩＤが付加されたアクセスログをアクセス順に配列してアクセス履歴を記録したページ遷移テーブルを生成させて前記記憶手段に記憶させる第６の手順と
を含むことを特徴とするコンピュータプログラム。
【請求項２１】
コンピュータに、前記ウェブサイトへのアクセスが切断された場合に、前記第６の手順で生成されたページ遷移テーブル中の最後のアクセスログに対応するＵＲＬと、所定のＵＲＬとを比較させる第７の手順と、
コンピュータに、前記第７の手順での比較結果が一致した場合に、比較対象のＵＲＬに付加されている訪問者ＩＤを前記ページ遷移テーブルから読み出させる第８の手順と、
コンピュータに、前記第８の手順で読み出した訪問者ＩＤに対応付けて前記記憶手段が記憶しているリンクＩＤを読み出させる第９の手順と
を更に含むことを特徴とする請求項２０に記載のコンピュータプログラム。
【請求項２２】
前記ウェブサイトのコンテンツは商取引に関するコンテンツであり、前記所定のＵＲＬは「契約の申込み完了」のコンテンツを表示するページのＵＲＬであることを特徴とする請求項２１に記載のコンピュータプログラム。
【請求項２３】
前記ウェブサイトのコンテンツは商取引に関するコンテンツであり、
コンピュータに、前記ウェブサイトへのアクセスが切断された場合に、前記第６の手順で生成されたページ遷移テーブル中の最後のアクセスログに取引ＩＤを付与させる手順と、
コンピュータに、前記取引ＩＤに関して「契約の成立」又は「契約の成立に伴う行為」のいずれかの事象が発生した場合に、当該取引ＩＤが付与されているページ遷移テーブルから訪問者ＩＤを読み出させる手順と、
コンピュータに、前記ページ遷移テーブルから読み出した訪問者ＩＤに対応付けて前記記憶手段が記憶しているリンクＩＤを読み出させる手順と
を更に含むことを特徴とする請求項２０に記載のコンピュータプログラム。
【請求項２４】
前記リンクＩＤが他のコンピュータを特定するＩＤであり、前記所定のページへの外部からのアクセスが、前記他のコンピュータのウェブページ上に表示されたバナーにより受け付けられることを特徴とする請求項２０乃至２３のいずいれかに記載のコンピュータプログラム。
【請求項２５】
前記リンクＩＤが電子メールであることを示すＩＤであり、前記所定のページへの外部からのアクセスが、前記電子メール上に表示されたリンク部により受け付けられることを特徴とする請求項２０乃至２３のいずれかに記載のコンピュータプログラム。
【請求項２６】
コンピュータに、前記リンクＩＤを読み出させる手順で読み出したリンクＩＤの数を、それぞれのリンクＩＤ別に前記記憶手段に記憶させる手順を更に含むことを特徴とする請求項２１又は２３に記載のコンピュータプログラム。
【請求項２７】
コンピュータに、前記記憶手段に記憶されたそれぞれのリンクＩＤの数に応じてそれぞれのリンクＩＤにポイントを付与させる手順を更に含むことを特徴とする請求項２６に記載のコンピュータプログラム。
【請求項２８】
前記ウェブサイトのコンテンツは消費者金融に関するコンテンツであることを特徴とする請求項２０乃至２７のいずれかに記載のコンピュータプログラム。
【発明の詳細な説明】
【技術分野】
【０００１】
本発明は、コンピュータユーザがウェブ（Ｗｅｂ）ブラウザにより一つのウェブサイトの各ページを閲覧した際に、コンピュータユーザが閲覧したウェブページを特定するために、ウェブサイトのアクセス履歴を記録すると共に、どこからアクセスしてきたか、具体的にはどのウェブサイト又は電子メール上の広告バナー等からアクセスしてきたかを特定することが可能な方法及びそのシステムに関し、更にそのような方法をコンピュータに実行させるコンピュータプログラムに関する。
【背景技術】
【０００２】
コンピュータユーザがウェブブラウザによりウェブページを閲覧している際に、現在閲覧しているウェブページの前に閲覧していたウェブページを特定するためには、「クッキー：ｃｏｏｋｉｅ」が従来一般的に利用されている。クッキーは、インターネット上のウェブページをユーザがアクセス（訪問）した際に、ウェブサーバからユーザコンピュータ側に特定の情報ファイルを送信して保存させる機能である。たとえば、コンピュータユーザがウェブブラウザによりコンピュータの画面に表示されている第１のウェブサイトのあるページ上に表示されているバナーを画面上でクリックすると、コンピュータはそのバナーにリンクされているＵＲＬが付与されている第２のウェブサイトへアクセスする。
【０００３】
ここで、上述の第１のウェブサイト中のあるページ上に表示されているバナーは一般的には企業の広告である場合が多く、従ってそのようなバナーがクリックされるとそのバナーの広告主の企業のウェブサイトのトップページが表示される場合が多い。また、上述のようにして第２のウェブサーバがアクセスされる場合のＵＲＬ、即ち第１のウェブサイトのページ上に表示されているバナーにリンクしているＵＲＬには第１のウェブサーバを特定するためのＩＤ（プロモーション管理ＩＤ）が付加されている。このようなプロモーションＩＤは、第１のウェブサイトのバナーから第２のウェブサイトへアクセスが行なわれたことを第２のウェブサイト側で記録するために付加されている。従って、第２のウェブサイトを運営する企業は、このプロモーションＩＤを計数することにより、どのようなウェブサイトにバナー広告を出すことが効果的であるか、等の宣伝戦略を練ることが可能になる。
【０００４】
なお、上述同様のことは、電子メール上に表示された広告バナーから他のウェブサイトにアクセスする場合においてもいえることである。
【０００５】
ところで、クッキーはウェブブラウザの一つであるマイクロソフト社製のインターネットエクスプローラ（登録商標）の機能に依存しており、ウェブサーバのＯＳの一つである同じくマイクロソフト社製のＩＩＳ（Internet Information Server:登録商標）が自動的にウェブログを作成すると共にセッションＩＤを付与することにより、連続的に閲覧されたウェブページの記録が可能である。
【０００６】
しかし、クッキーの機能はユーザコンピュータ側のウェブブラウザであるインターネットエクスプローラ（登録商標）の設定により解除することが可能である。従って、クッキーの機能が解除されている場合にはコンピュータユーザが閲覧したウェブページの追跡は不可能である。また、たとえばネットスケープナビゲータ（登録商標）等のようなクッキーの機能を有していない他のウェブブラウザを使用している場合にも、ウェブページの追跡は不可能である。更に、携帯電話機によるネット接続ではページ遷移毎に通信のセッションが一旦途切れるため、本来的にクッキーを使用することができず、やはりウェブページの追跡は不可能である。
【０００７】
以上のようなウェブページの追跡が不可能な従来の場合には、いずれのウェブサイト、または電子メールからアクセスしてきたかが判明しない。このような事情からたとえば特許文献１に開示されているような、クッキーを利用せずに特定の閲覧者が閲覧したウェブページを追跡する発明が知られている。この引用文献１に開示されている発明では、閲覧者を一意に識別する閲覧者ＩＤを生成し、ある特定のウェブページを閲覧者が閲覧した場合にその閲覧者ＩＤをデータベースに保存し、この閲覧者ＩＤを閲覧者が閲覧したウェブページ間で順次引き継ぐことにより、閲覧者がある特定のウェブページを閲覧したことを監視するように構成されている。
【特許文献１】特開２００２−７２６１号公報
【発明の開示】
【発明が解決しようとする課題】
【０００８】
しかし、上述の特許文献１に開示されている発明では、閲覧者がある特定のウェブページを閲覧したことは判明するが、それまでにどのような経緯で、特にどのウェブサーバで公開されているウェブページ上の広告バナー、または電子メール上の広告バナーからアクセスしてきたかが判明しないため、宣伝戦略を練るための情報を得ることができず、このことは企業活動においては宣伝経費の有効利用の面等から問題がある。
【０００９】
本発明は以上のような事情に鑑みてなされたものであり、クッキーを使用することなしに、ウェブページのアクセス履歴を追跡して記録することを可能にすると共に、いずれのウェブサーバのウェブページ上のバナー、または電子メール上のバナー等からアクセスしてきたかを知ることが可能なウェブサイトアクセス履歴記録方法、リンク特定方法及びそれらシステムの提供を目的とし、更にそのような方法をコンピュータに実行させるコンピュータプログラムの提供を目的とする。
【課題を解決するための手段】
【００１０】
本発明に係るウェブサイトアクセス履歴記録方法の第１の発明は、それぞれ一意にＵＲＬが付与された複数のウェブページを含むウェブサイトを公開しており、外部からアクセスされた際のリンク関係を特定することが可能なリンクＩＤが付加されたＵＲＬにより指定される前記ウェブサイトの所定のページに外部からアクセスすることが可能であり、前記ウェブサイトの各ページそれぞれに対するアクセス状況を記録したアクセスログを記憶手段に記憶させるコンピュータの前記ウェブサイトのアクセス履歴を記録するウェブサイトアクセス履歴記録方法において、前記所定のページが外部から新規にアクセスされた場合に、前記所定のページのアクセスログに一意の訪問者ＩＤを付与させる第１のステップと、前記所定のページをアクセスしたＵＲＬに付加されているリンクＩＤと、前記訪問者ＩＤとを対応付けて前記記憶手段に記憶させる第２のステップと、外部からのアクセスに応じて前記所定のページを表示する第３のステップと、前記所定のページを含む前記ウェブサイトのいずれかのページ上で前記ウェブサイト内の他のページへのアクセスを受け付ける第４のステップと、該第４のステップでアクセスを受け付けたページのアクセスログに前記訪問者ＩＤを付加して前記記憶手段に記憶させる第５のステップと、同一の訪問者ＩＤが付与されたアクセスログをアクセス順に配列してアクセス履歴を記録したページ遷移テーブルを生成して前記記憶手段に記憶させる第６のステップとを含むことを特徴とする。
【００１１】
また、本発明に係るウェブサイトアクセス履歴記録システムの第１の発明は、それぞれ一意にＵＲＬが付与された複数のウェブページを含むウェブサイトを公開しており、外部からアクセスされた際のリンク関係を特定することが可能なリンクＩＤが付加されたＵＲＬにより指定される前記ウェブサイトの所定のページに外部からアクセスすることが可能であり、前記ウェブサイトの各ページそれぞれに対するアクセス状況を記録したアクセスログを記憶手段に記憶させるコンピュータの前記ウェブサイトのアクセスの履歴を記録するウェブサイトアクセス履歴記録システムにおいて、前記所定のページが外部から新規にアクセスされた場合に、前記所定のページのアクセスログに一意の訪問者ＩＤを付与させる手段と、前記所定のページをアクセスしたＵＲＬに付加されているリンクＩＤと、前記訪問者ＩＤとを対応付けて記憶手段に記憶させる手段と、外部からのアクセスに応じて前記所定のページを前記コンピュータに表示させる手段と、前記所定のページを含む前記ウェブサイトのいずれかのページ上で前記ウェブサイト内の他のページへのアクセスを受け付ける手段と、該手段がアクセスを受け付けたページのアクセスログに前記訪問者ＩＤを付加して前記記憶手段に記憶させる手段と、同一の訪問者ＩＤが付加されたアクセスログをアクセス順に配列してアクセス履歴を記録したページ遷移テーブルを生成して前記記憶手段に記憶させる手段とを備えたことを特徴とする。
【００１２】
更に、本発明に係るコンピュータプログラムの第１の発明は、それぞれ一意にＵＲＬが付与された複数のウェブページを含むウェブサイトを公開しており、外部からアクセスされた際のリンク関係を特定することが可能なリンクＩＤが付加されたＵＲＬにより指定される前記ウェブサイトの所定のページに外部からアクセスすることが可能であり、前記ウェブサイトの各ページそれぞれに対するアクセス状況を記録したアクセスログを記憶手段に記憶させるコンピュータに、前記ウェブサイトのアクセス履歴を記録させるコンピュータプログラムであって、コンピュータに、前記所定のページが外部から新規にアクセスされた場合に、前記所定のページのアクセスログに一意の訪問者ＩＤを付与させる第１の手順と、前記所定のページをアクセスしたＵＲＬに付加されているリンクＩＤと、前記訪問者ＩＤとを対応付けて前記記憶手段に記憶させる第２の手順と、外部からのアクセスに応じて前記所定のページを表示させる第３の手順と、前記所定のページを含む前記ウェブサイトいずれかのページ上で前記ウェブサイト内の他のウェブページへのアクセスを受け付けさせる第４の手順と、前記第４の手順でアクセスを受け付けたページのアクセスログに前記訪問者ＩＤを付加して前記記憶手段に記憶させる第５の手順と、同一の訪問者ＩＤが付加されたアクセスログをアクセス順に配列してアクセス履歴を記録したページ遷移テーブルを生成させて前記記憶手段に記憶させる第６の手順とを含むことを特徴とする。
【００１３】
このような本発明のウェブサイトアクセス履歴記録方法及びそのシステムの第１の発明では、所定のページが外部から新規にアクセスされた場合に、所定のページのアクセスログに一意の訪問者ＩＤが付与され、所定のページをアクセスしたＵＲＬに付加されているリンクＩＤと訪問者ＩＤとが対応付けられて記憶手段に記憶される。そして、外部からのアクセスに応じて所定のページがユーザコンピュータに表示され、この所定のページ上で所定のページを含むウェブサイトのいずれかのページ上でウェブサイト内の他のページへのアクセスが受け付けられると、アクセスが受け付けられたページのアクセスログに訪問者ＩＤが付加されて記憶手段に記憶される処理が反復されて順次ページが表示される。一方、順次ページが表示されている間に、同一の訪問者ＩＤが付与されたアクセスログがアクセス順に配列されたページ遷移テーブルが生成されて記憶手段に記憶されるので、このページ遷移テーブルの内容を見ればアクセス履歴を追跡することができる。
【００１４】
また本発明のコンピュータプログラムの第１の発明では、上述のようなアクセス履歴の追跡を一般的な汎用コンピュータ、たとえばウェブサーバ自体に行なわせることが可能になる。
【００１５】
本発明に係るウェブサイトアクセス履歴記録方法の第２の発明は、それぞれ一意にＵＲＬが付与された複数のウェブページを含む契約の申込に係るウェブサイトを公開しており、外部からアクセスすることが可能であり、前記ウェブサイトの各ページそれぞれに対するアクセス状況を記録したアクセスログを記憶手段に記憶させるコンピュータの前記ウェブサイトのアクセス履歴に、契約の申込により生じる事象を管理する管理コンピュータからのＩＤを組み合わせて記録するウェブサイトアクセス履歴記録方法であって、前記所定のページが外部から新規にアクセスされた場合に、前記所定のページのアクセスログに一意の訪問者ＩＤを付与させる第１のステップと、前記所定のページをアクセスしたＵＲＬに付加されているリンクＩＤと、前記訪問者ＩＤとを対応付けて前記記憶手段に記憶させる第２のステップと、外部からのアクセスに応じて前記所定のページを表示する第３のステップと、前記所定のページを含む前記ウェブサイトのいずれかのページ上で前記ウェブサイト内の他のページへのアクセスを受け付ける第４のステップと、該第４のステップでアクセスを受け付けたページのアクセスログに前記訪問者ＩＤを付加して前記記憶手段に記憶させる第５のステップと、同一の訪問者ＩＤが付与されたアクセスログをアクセス順に配列してアクセス履歴を記録したページ遷移テーブルを生成する第６のステップと、該ページ遷移テーブルに前記管理コンピュータからの「契約の成立」又は「契約の成立に伴う行為」のいずれかの事象に関連する取引ＩＤを追加して前記記憶手段に記憶させる第７のステップとを含むことを特徴とする。
【００１６】
このような本発明のウェブサイトアクセス履歴記録方法では、上述した第１の発明を基本にして契約の申込に係るウェブサイトを公開すると共に、契約の申込により生じる事象を管轄する管理コンピュータからのデータを組み合わせてアクセス履歴を記録するようにしており、前記管理コンピュータからの「契約の成立」又は「契約の成立に伴う行為」のいずれかの事象に関連する取引ＩＤがページ遷移テーブルに追加されて記憶される。そのため、上述したような事象の発生に関連したアクセス履歴を取引ＩＤに基づき追跡することができる。
【００１７】
また本発明に係るリンク特定方法の第１の発明は、上述のウェブサイトアクセス履歴記録方法の第１の発明において、前記ウェブサイトへのアクセスが切断された場合に、前記第６のステップで生成されたページ遷移テーブル中の最後のアクセスログに対応するＵＲＬと、所定のＵＲＬとを比較するステップと、前記比較の結果が一致した場合に、比較対象のＵＲＬに付加されている訪問者ＩＤを前記ページ遷移テーブルから読み出すステップと、前記ページ遷移テーブルから読み出された訪問者ＩＤに対応付けて前記記憶手段が記憶しているリンクＩＤを読み出すステップとを含むことを特徴とする。
【００１８】
また本発明に係るリンク特定システムの第１の発明は、上述のウェブサイトアクセス履歴記録システムの第１の発明において、前記ウェブサイトへのアクセスが切断された場合に、前記ページ遷移テーブル中の最後のアクセスログに対応するＵＲＬと、所定のＵＲＬとを比較する比較手段と、該比較手段による比較結果が一致した場合に、比較対象のＵＲＬに付与されている訪問者ＩＤを前記ページ遷移テーブルから読み出す訪問者ＩＤ読出手段と、該訪問者ＩＤ読出手段が読み出した訪問者ＩＤに対応付けて前記記憶手段が記憶しているリンクＩＤを読み出すリンクＩＤ読出手段とを備えたことを特徴とする。
【００１９】
また本発明に係るコンピュータプログラムの第２の発明は、上述のコンピュータプログラムの第１の発明において、コンピュータに、前記ウェブサイトへのアクセスが切断された場合に、前記第６の手順で生成されたページ遷移テーブル中の最後のアクセスログに対応するＵＲＬと、所定のＵＲＬとを比較させる第７の手順と、前記第７の手順での比較結果が一致した場合に、比較対象のＵＲＬに付加されている訪問者ＩＤを前記ページ遷移テーブルから読み出させる第８の手順と、前記第８の手順で読み出した訪問者ＩＤに対応付けて前記記憶手段が記憶しているリンクＩＤを読み出させる第９の手順とを更に含むことを特徴とする。
【００２０】
このような本発明のリンク特定方法及びそのシステムの第１の発明では前述のウェブサイトアクセス履歴記録方法及びシステムの第１の発明において、ウェブサイトへのアクセスが切断された場合に、ページ遷移テーブル中の最後のアクセスログに対応するＵＲＬと、所定のＵＲＬとが比較され、この比較結果が一致した場合に、比較対象のＵＲＬに付加されている訪問者ＩＤがページ遷移テーブルから読み出され、この訪問者ＩＤに対応付けて記憶手段が記憶しているリンクＩＤが読み出されるので、リンクＩＤが判明する。
【００２１】
また本発明のコンピュータプログラムの第２の発明では、上述のようなリンク特定方法及びそのシステムの第１の発明が一般的な汎用コンピュータ、たとえばウェブサーバ自体で実現される。
【００２２】
更に本発明に係るリンク特定方法の第２の発明は、上述のリンク特定方法の第１の発明において、前記ウェブサイトのコンテンツは商取引に関するコンテンツであり、前記所定のＵＲＬは「契約の申込み完了」のコンテンツを表示するページのＵＲＬであることを特徴とする。
【００２３】
また本発明に係るリンク特定システムの第２の発明は、上述のリンク特定システムの第１の発明において、前記ウェブサイトのコンテンツは商取引に関するコンテンツであり、前記所定のＵＲＬは「契約の申込み完了」のコンテンツを表示するページのＵＲＬであることを特徴とする。
【００２４】
また本発明に係るコンピュータプログラムの第３の発明は、上述のコンピュータプログラムの第２の発明において、前記ウェブサイトのコンテンツは商取引に関するコンテンツであり、前記所定のＵＲＬは「契約の申込み完了」のコンテンツを表示するページのＵＲＬであることを特徴とする。
【００２５】
このような本発明のリンク特定方法及びそのシステムの第２の発明では前述のリンク特定方法及びそのシステムの第１の発明において、ウェブサイトのコンテンツは商取引に関するコンテンツであるので、「契約の申込み完了」のコンテンツを表示するページのＵＲＬがページ遷移テーブル中の最後のアクセスログに対応するＵＲＬと一致した場合に、リンクＩＤにポイントが付与される。
【００２６】
また本発明のコンピュータプログラムの第３の発明では、上述のようなリンク特定方法及びそのシステムの第２の発明が一般的な汎用コンピュータ、たとえばウェブサーバ自体で実現される。
【００２７】
更に本発明に係るリンク特定方法の第３の発明は、前述のウェブサイトアクセス履歴記録方法の第１の発明において、前記ウェブサイトのコンテンツは商取引に関するコンテンツであり、前記ウェブサイトへのアクセスが切断された場合に、前記第６のステップで生成されたページ遷移テーブル中の最後のアクセスログに取引ＩＤを付与するステップと、前記取引ＩＤに関して「契約の成立」又は「契約の成立に伴う行為」のいずれかの事象が発生した場合に、当該取引ＩＤが付与されているページ遷移テーブルから訪問者ＩＤを読み出すステップと、前記ページ遷移テーブルから読み出された訪問者ＩＤに対応付けて前記記憶手段が記憶しているリンクＩＤを読み出すステップとを更に含むことを特徴とする。
【００２８】
また本発明に係るリンク特定システムの第３の発明は、前述のウェブサイトアクセス履歴記録システムの第１の発明において、前記ウェブサイトのコンテンツは商取引に関するコンテンツであり、前記ウェブサイトへのアクセスが切断された場合に、前記ページ遷移テーブル中の最後のアクセスログに取引ＩＤを付与する手段と、前記取引ＩＤに関して「契約の成立」又は「契約の成立に伴う行為」のいずれかの事象が発生した場合に、当該取引ＩＤが付与されているページ遷移テーブルから訪問者ＩＤを読み出す手段と、前記ページ遷移テーブルから読み出された訪問者ＩＤに対応付けて前記記憶手段が記憶しているリンクＩＤを読み出すリンクＩＤ読出手段とを備えたことを特徴とする。
【００２９】
また本発明に係るコンピュータプログラムの第４の発明は、前述のコンピュータプログラムの第１の発明において、前記ウェブサイトのコンテンツは商取引に関するコンテンツであり、コンピュータに、前記ウェブサイトへのアクセスが切断された場合に、前記第６の手順で生成されたページ遷移テーブル中の最後のアクセスログに取引ＩＤを付与させる手順と、前記取引ＩＤに関して「契約の成立」又は「契約の成立に伴う行為」のいずれかの事象が発生した場合に、当該取引ＩＤが付与されているページ遷移テーブルから訪問者ＩＤを読み出させる手順と、前記ページ遷移テーブルから読み出した訪問者ＩＤに対応付けて前記記憶手段が記憶しているリンクＩＤを読み出させる手順とを更に含むことを特徴とする。
【００３０】
このような本発明のリンク特定方法及びそのシステムの第３の発明では前述のウェブサイトアクセス履歴記録方法及びシステムの第１の発明において、ウェブサイトのコンテンツは商取引に関するコンテンツであり、最後のアクセスログに取引ＩＤを付与し、該取引ＩＤに関して「契約の成立」又は「契約の成立に伴う行為」のいずれかの事象が発生した場合に、当該取引ＩＤに応じた訪問者ＩＤを読み出すと共に、その訪問者ＩＤに対応付けて前記記憶手段が記憶しているリンクＩＤを読み出すので、上述した事象に基づきリンクを特定できるようになる。
【００３１】
また本発明のコンピュータプログラムの第４の発明では、上述のようなリンク特定方法及びそのシステムの第３の発明が一般的な汎用コンピュータ、たとえばウェブサーバ自体で実現される。
【００３２】
更に本発明に係るリンク特定方法の第４の発明は、上述のリンク特定方法の第１乃至第３のいずれかの発明において、前記リンクＩＤが他のコンピュータを特定するＩＤであり、前記所定のページへの外部からのアクセスが、前記他のコンピュータのウェブページ上に表示されたバナーにより受け付けられることを特徴とする。
【００３３】
また本発明に係るリンク特定システムの第４の発明は、上述のリンク特定システムの第１乃至第３のいずれかの発明において、前記リンクＩＤが他のコンピュータを特定するＩＤであり、前記所定のページへの外部からのアクセスが、前記他のコンピュータのウェブページ上に表示されたバナーにより受け付けられることを特徴とする。
【００３４】
また本発明に係るコンピュータプログラムの第５の発明は、上述のコンピュータプログラムの第１乃至第４のいずれかの発明において、前記リンクＩＤが他のコンピュータを特定するＩＤであり、前記所定のページへの外部からのアクセスが、前記他のコンピュータのウェブページ上に表示されたバナーにより受け付けられることを特徴とする。
【００３５】
このような本発明のリンク特定方法及びそのシステムの第４の発明では前述のリンク特定方法及びシステムの第１乃至第３のいずれかの発明において、所定のページへの外部からのアクセスが他のウェブサーバのウェブページ上に表示されたバナーにより受け付けられる。
【００３６】
また本発明のコンピュータプログラムの第５の発明では、上述のようなリンク特定方法及びそのシステムの第４の発明が一般的な汎用コンピュータ、たとえばウェブサーバ自体で実現される。
【００３７】
また本発明に係るリンク特定方法の第５の発明は、上述のリンク特定方法の第１乃至第３のいずれかの発明において、前記リンクＩＤが電子メールであることを示すＩＤであり、前記所定のページへの外部からのアクセスが、前記電子メール上に表示されたリンク部により受け付けられることを特徴とする。
【００３８】
また本発明に係るリンク特定システムの第５の発明は、上述のリンク特定システムの第１乃至第３のいずれかの発明において、前記リンクＩＤが電子メールであることを示すＩＤであり、前記所定のページへの外部からのアクセスが、前記電子メール上に表示されたリンク部により受け付けられることを特徴とする。
【００３９】
また本発明に係るコンピュータプログラムの第６の発明は、上述のコンピュータプログラムの第１乃至第４のいずれかの発明において、前記リンクＩＤが電子メールであることを示すＩＤであり、前記所定のページへの外部からのアクセスが、前記電子メール上に表示されたリンク部により受け付けられることを特徴とする。
【００４０】
このような本発明のリンク特定方法及びそのシステムの第５の発明では前述のリンク特定方法及びシステムの第１乃至第３のいずれかの発明において、所定のページへの外部からのアクセスが、前記電子メール上に表示された広告バナー及び直接表記されたＵＲＬ等のリンク部により受け付けられる。
【００４１】
また本発明のコンピュータプログラムの第６の発明では、上述のようなリンク特定方法及びそのシステムの第５の発明が一般的な汎用コンピュータ、たとえばウェブサーバ自体で実現される。
【００４２】
また本発明に係るリンク特定方法の第６の発明は、上述のリンク特定方法の第１又は第３の発明において、前記ページ遷移テーブルから読み出されたリンクＩＤの数を、それぞれのリンクＩＤ別に前記記憶手段に記憶させるステップを更に含むことを特徴とする。
【００４３】
また本発明に係るリンク特定システムの第６の発明は、上述のリンク特定システムの第１又は第３の発明において、前記リンクＩＤ読出手段が読み出したリンクＩＤの数を、それぞれのリンクＩＤ別に記憶する記憶手段を更に備えたことを特徴とする。
【００４４】
また本発明に係るコンピュータプログラムの第７の発明は、上述のコンピュータプログラムの第２又は第４の発明において、コンピュータに、前記リンクＩＤを読み出させる手順で読み出したリンクＩＤの数を、それぞれのリンクＩＤ別に前記記憶手段に記憶させる手順を更に実行させることを特徴とする。
【００４５】
このような本発明のリンク特定方法及びそのシステムの第６の発明では前述のリンク特定方法及びシステムの第１又は第３の発明において、読み出されたリンクＩＤの数がそれぞれのリンクＩＤ別に記憶手段に記憶される。
【００４６】
また本発明のコンピュータプログラムの第７の発明では、上述のようなリンク特定方法及びそのシステムの第６の発明が一般的な汎用コンピュータ、たとえばウェブサーバ自体で実現される。
【００４７】
また本発明に係るリンク特定方法の第７の発明は、上述のリンク特定方法の第６の発明において、前記記憶手段に記憶されたそれぞれのリンクＩＤの数に応じてそれぞれのリンクＩＤにポイントを付与するステップを更に含むことを特徴とする。
【００４８】
また本発明に係るリンク特定システムの第７の発明は、上述のリンク特定システムの第６の発明において、前記記憶手段に記憶されたそれぞれのリンクＩＤの数に応じてそれぞれのリンクＩＤにポイントを付与する手段を更に備えたことを特徴とする。
【００４９】
また本発明に係るコンピュータプログラムの第８の発明は、上述のコンピュータプログラムの第７の発明において、コンピュータに、前記記憶手段に記憶されたそれぞれのリンクＩＤの数に応じてそれぞれのリンクＩＤにポイントを付与させる手順を更に含むことを特徴とする。
【００５０】
このような本発明のリンク特定方法及びそのシステムの第７の発明では上述のリンク特定方法及びシステムの第６の発明において、記憶手段に記憶されたそれぞれのリンクＩＤの数に応じてそれぞれのリンクＩＤにポイントが付与される。
【００５１】
また本発明のコンピュータプログラムの第８の発明では、上述のようなリンク特定方法及びそのシステムの第７の発明が一般的な汎用コンピュータ、たとえばウェブサーバ自体で実現される。
【００５２】
また本発明に係るリンク特定方法の第８の発明は、上述のリンク特定方法の第１乃至第７のいずれかの発明において、前記ウェブサイトのコンテンツは消費者金融に関するコンテンツであることを特徴とする。
【００５３】
また本発明に係るリンク特定システムの第８の発明は、上述のリンク特定システムの第１乃至第７のいずれかの発明において、前記ウェブサイトのコンテンツは消費者金融に関するコンテンツであることを特徴とする。
【００５４】
また本発明に係るコンピュータプログラムの第９の発明は、上述のコンピュータプログラムの第１乃至第８の発明において、前記ウェブサイトのコンテンツは消費者金融に関するコンテンツであることを特徴とする。
【００５５】
このような本発明のリンク特定方法及びそのシステムの第８の発明では前述のリンク特定方法及びシステムの第１乃至第７のいずれかの発明において、ウェブサイトのコンテンツが消費者金融に関するコンテンツであるので、「契約の申込み完了」、「契約の成立」、「契約の成立に伴う行為」等に応じてリンクＩＤにポイントが付与される。
【００５６】
また本発明のコンピュータプログラムの第９の発明では、上述のようなリンク特定方法及びそのシステムの第８の発明が一般的な汎用コンピュータ、たとえばウェブサーバ自体で実現される。
【発明の効果】
【００５７】
上述のような本発明のウェブサイトアクセス履歴記録方法及びそのシステムの第１の発明によれば、従来一般的なクッキーを使用することなしに、従って、パーソナルコンピュータ用のウェブブラウザでクッキーの機能を有していない場合、クッキーの機能を有してはいても使用しない設定にしている場合、携帯電話機からのアクセスの場合等においても、ウェブサイトへのアクセスの履歴を追跡することが可能になる。
【００５８】
また本発明のコンピュータプログラムの第１の発明によれば、上述のようなアクセス履歴の追跡を一般的な汎用コンピュータ、たとえばウェブサーバ自体で実現される。
【００５９】
さらに、本発明のウェブサイトアクセス履歴記録方法の第２の発明によれば、従来一般的なクッキーを使用することなしに、従って、パーソナルコンピュータ用のウェブブラウザでクッキーの機能を有していない場合、クッキーの機能を有してはいても使用しない設定にしている場合、携帯電話機からのアクセスの場合等においても、契約の申込に係るウェブサイトへのアクセスの履歴を、契約の申込により生じる事象に係るデータに基づき追跡することが可能になる。
【００６０】
また本発明のリンク特定方法及びそのシステムの第１の発明によれば前述のウェブサイトアクセス履歴記録方法及びシステムの第１の発明において、ウェブサイトへのアクセスが切断された後に、ウェブサイトのトップページへいずれのウェブサーバ、または電子メールの広告バナーからアクセスしてきたかが容易に判明する。
【００６１】
また本発明のコンピュータプログラムの第２の発明によれば、上述のようなリンク特定方法及びそのシステムの第１の発明が一般的な汎用コンピュータ、たとえばウェブサーバ自体で実現される。
【００６２】
また本発明のリンク特定方法及びそのシステムの第２の発明によれば上述のリンク特定方法及びシステムの第１の発明において、ウェブサイトのコンテンツは商取引に関するコンテンツであるので、「契約の申込み完了」のコンテンツを表示するページのＵＲＬがページ遷移テーブル中の最後のアクセスログに対応するＵＲＬと一致した場合に、リンクＩＤにポイントが付与される。従って、リンクしているウェブサイトを運営する事業体に公平に宣伝費用を配分することが可能になる。
【００６３】
また本発明のコンピュータプログラムの第３の発明によれば、上述のようなリンク特定方法及びそのシステムの第２の発明が一般的な汎用コンピュータ、たとえばウェブサーバ自体で実現される。
【００６４】
また本発明のリンク特定方法及びそのシステムの第３の発明によれば前述のウェブサイトアクセス履歴記録方法及びシステムの第１の発明において、ウェブサイトのコンテンツは商取引に関するコンテンツであるので、「契約の成立」又は「契約の成立に伴う行為」のいずれかの事象が発生した場合に、対応する取引ＩＤから訪問者ＩＤが、更にこの訪問者ＩＤからリンクＩＤが読み出されるので、アクセスしてきたウェブサイトを運営する事業体に公平に宣伝費用を配分することが可能になる。
【００６５】
また本発明のコンピュータプログラムの第４の発明によれば、上述のようなリンク特定方法及びそのシステムの第３の発明が一般的な汎用コンピュータ、たとえばウェブサーバ自体で実現される。
【００６６】
また本発明のリンク特定方法及びそのシステムの第４の発明によれば前述のリンク特定方法及びシステムの第１乃至第３のいずれかの発明において、トップページへの外部からのアクセスが他のウェブサーバのウェブページ上に表示されたバナーにより受け付けられるので、ウェブサイトのトップページへいずれのウェブサーバからアクセスしてきたかが容易に判明する。
【００６７】
また本発明のコンピュータプログラムの第５の発明によれば、上述のようなリンク特定方法及びそのシステムの第４の発明が一般的な汎用コンピュータ、たとえばウェブサーバ自体で実現される。
【００６８】
また本発明のリンク特定方法及びそのシステムの第５の発明によれば前述のリンク特定方法及びシステムの第１乃至第３のいずれかの発明において、トップページへの外部からのアクセスが電子メールの広告バナー及び表記されたＵＲＬ等のリンク部により受け付けられるので、ウェブサイトのトップページへいずれの電子メールの広告バナー等のリンク部からアクセスしてきたかが容易に判明する。
【００６９】
また本発明のコンピュータプログラムの第６の発明によれば、上述のようなリンク特定方法及びそのシステムの第５の発明が一般的な汎用コンピュータ、たとえばウェブサーバ自体で実現される。
【００７０】
また本発明のリンク特定方法及びそのシステムの第６の発明によれば前述のリンク特定方法及びシステムの第１又は第３のいずれかの発明において、読み出されたリンクＩＤの数がそれぞれのリンクＩＤ別に記憶手段に記憶されるので、宣伝戦略の資料として有効に利用することが可能になる。
【００７１】
また本発明のコンピュータプログラムの第７の発明によれば、上述のようなリンク特定方法及びそのシステムの第６の発明が一般的な汎用コンピュータ、たとえばウェブサーバ自体で実現される。
【００７２】
また本発明のリンク特定方法及びそのシステムの第７の発明によれば前述のリンク特定方法及びシステムの第６の発明において、記憶手段に記憶されたそれぞれのリンクＩＤの数に応じてそれぞれのリンクＩＤにポイントが付与されるので、宣伝費用の有効な利用が可能になる。
【００７３】
また本発明のコンピュータプログラムの第８の発明によれば、上述のようなリンク特定方法及びそのシステムの第７の発明が一般的な汎用コンピュータ、たとえばウェブサーバ自体で実現される。
【００７４】
また本発明のリンク特定方法及びそのシステムの第８の発明によれば前述のリンク特定方法及びシステムの第１乃至第７のいずれかの発明において、ウェブサイトのコンテンツは消費者金融に関するコンテンツであるので、「契約の申込み完了」、「契約の成立」、「契約の成立に伴う行為」のいずれかの事象が発生した場合に、リンクＩＤにポイントが付与される。従って、リンクしているウェブサイトを運営する事業体に公平に宣伝費用を配分することが可能になる。
【００７５】
また本発明のコンピュータプログラムの第９の発明によれば、上述のようなリンク特定方法及びそのシステムの第８の発明が一般的な汎用コンピュータ、たとえばウェブサーバ自体で実現される。
【発明を実施するための最良の形態】
【００７６】
以下、本発明をその実施の形態を示す図面を参照して説明する。図１は本発明方法の第１の実施の形態の実施環境、即ち本発明方法が実施されるウェブ（Ｗｅｂ）サーバと他のウェブサーバ、コンピュータ、携帯電話機等との接続関係の概略を示す模式図である。
【００７７】
図中、１はインターネットＩＮに接続したユーザコンピュータを、２はインターネットＩＮに接続した携帯電話機を、Ｂ１は本発明方法が実施されるウェブサーバ１０を運営する事業体（以下、第１事業体という）を、Ｂ２は第１事業体とは異なる事業体（以下、第２事業体という）をそれぞれ示している。なお、この第２事業体Ｂ２が運営するウェブサーバ２０が公開しているウェブサイトのページ上に第１事業体Ｂ１の広告バナーが表示される。即ち、第２事業体Ｂ２にとっては第１事業体Ｂ１は広告主であり、この第２事業体Ｂ２が運営するウェブサイトから第１事業体Ｂ１のウェブサーバへのアクセス量に応じて広告費が支払われる契約がなされている。
【００７８】
なお、図１にはユーザコンピュータ１及び携帯電話機２が示されているが、その他にたとえばＰＤＡ(Personal Digital Assistant)のようなインターネット接続可能な装置も使用可能である。但し、以下の説明においては、ユーザコンピュータ１から第１事業体Ｂ１のウェブサーバ１０及び第２事業体Ｂ２のウェブサーバ２０にアクセスする場合を例として説明する。
【００７９】
第１事業体Ｂ１が運営するウェブサーバ１０は、本発明方法が実施されるウェブサーバであり、記憶手段としてのＨＤ（ハードディスク）に種々の情報を登録するためのデータベース（ＤＢ）１１が構築されている。また第２事業体Ｂ２が運営するウェブサーバ２０は、インターネットＩＮを介して公開しているウェブサイトのページ上に第１事業体Ｂ１の広告のためのバナーを表示している。このバナーには第１事業体Ｂ１のウェブサーバ１０が公開している複数のウェブページを含むウェブサイトのあるページ、たとえばトップページにリンクするＵＲＬが埋め込まれており、このＵＲＬには第２事業体Ｂ２のウェブサーバ２０とのリンク関係を特定することが可能なリンクＩＤ（プロモーション管理ＩＤ）が付加されている。
【００８０】
なお、図１にはユーザコンピュータ１、携帯電話機２、第２事業体Ｂ２はそれぞれ一つずつが示されているが、ユーザコンピュータ１及び携帯電話機２はそれぞれ多数がインターネットＩＮに接続されていることはいうまでもなく、また第２事業体Ｂ２は一つでもよいが、通常は複数が存在する。
【００８１】
図２は第１事業体Ｂ１が運営するウェブサーバ１０のハードウェア構成を示すブロック図である。ウェブサーバ１０は基本的には汎用コンピュータシステムとして構成されており、ＣＰＵ１２を制御中枢として、ＲＡＭ１３、ＲＯＭ１４、ＨＤ（ハードディスク）１５、モニタ１６、キーボード１７、マウス１８等が接続されている。なお、ＣＰＵ１２とバス接続されている通信インタフェイス（Ｉ／Ｆ）３１はインターネットＩＮに接続しており、同じくインタフェイス３２はＤＢ１１と、３３はモニタ１６と、３４はキーボード１７及びマウス１８とそれぞれ接続するためのインタフェイスである。
【００８２】
なお、ウェブサーバ１０のＨＤ１５には予め、基本（ＯＳ）ソフトウェア（ＳＷ）と、ウェブサーバソフトウェアとしてたとえば前述したようなマイクロソフト社製のＩＩＳ（登録商標）と、制御ＳＷ等がインストールされている。従って、ウェブサーバ１０は、制御ＳＷに従って動作することによりそれ自身が本発明方法を実施すると共に、ウェブサーバＳＷによりウェブサーバとしても機能する。このため、ＨＤ１５にはウェブサーバ１０がウェブサーバとして機能する場合のウェブコンテンツも予め格納されている。
【００８３】
なお、ウェブサーバ１０のＤＢ１１内には、後述するプロモーション管理テーブル１１０、アクセスログファイル１１１、訪問者管理テーブル１１２、訪問者ページ遷移テーブル１１３、ポイントテーブル１１４等の各種ファイル、テーブルが記憶されている。
【００８４】
また、第２事業体Ｂ２のウェブサーバ２０は一般的なウェブサーバであり、その基本的な構成は図２に示した第１事業体Ｂ１のウェブサーバ１０と基本的には同様である。
【００８５】
なお、第１事業体Ｂ１のウェブサーバ１０及び第２事業体Ｂ２のウェブサーバ２０には、それぞれウェブサーバとしてのＵＲＬ（ウェブサイトのトップページのＵＲＬ）が付与されており、また各ページにもそれぞれＵＲＬが付与されている。従って、ユーザコンピュータ１（又は携帯電話機２）からウェブサーバ１０及びウェブサーバ２０へのウェブブラウザによるアクセス、即ちウェブページの閲覧が可能である。
【００８６】
次に、第１事業体Ｂ１のウェブサーバ１０の動作、換言すれば本発明方法の実行手順について、ユーザコンピュータ１からアクセスがあった場合のそれを示す図３及び図４のフローチャート、ＤＢ１１に記憶されている各種テーブルの登録内容を示す図５乃至図８の模式図及び図９乃至図１３のユーザコンピュータ１の画面の表示状態を示す模式図を参照して説明する。
【００８７】
ウェブサーバ１０のＣＰＵ１２は、インターネットＩＮを介しての新規のアクセスを監視しており（ステップＳ１１）、新規アクセスがあった場合（ステップＳ１１でＹＥＳ）、そのアクセスが他のウェブサーバ、たとえば第２事業体Ｂ２のウェブサーバ２０経由であるか否か、または電子メール上の広告バナーからであるかを、新規アクセスのために受信したＵＲＬにプロモーション管理ＩＤが付加されているか否かにより判断する（ステップＳ１２）。
【００８８】
ここでプロモーション管理ＩＤについて説明する。図９は第２事業体Ｂ２のウェブサーバ２０が公開しているウェブサイトの複数のウェブページ中のあるページの模式図である。この例では、「インターネットオークションのページ」のコンテンツが表示されており、その画面上に「落札したら○○クレジット」という広告バナーＢＮ１、「バナー広告募集中」という広告バナーＢＮ２及び「オークションに参加する」、「オークションに出品する」というウェブサーバ２０内の他のウェブページへアクセスするためのリンクＬ１が表示されている。ここで「○○クレジット」は第１事業体Ｂ１のことであり、広告バナーＢＮ１には第１事業体Ｂ１のウェブサーバ１０が公開しているウェブサイトのトップページのＵＲＬにこの第２事業体Ｂ２のウェブサーバ２０を特定するプロモーション管理ＩＤが付加されたＵＲＬが埋め込まれている。
【００８９】
たとえば、第１事業体Ｂ１のウェブサーバ１０のウェブサイトのトップページのＵＲＬが「http//www.marumaru.co.jp/index.top」であり、第２事業体Ｂ２のウェブサーバ２０に付与されているプロモーション管理ＩＤが「01-007」であるとすると、「○○クレジット」の広告バナーに埋め込まれているＵＲＬは「http//www.marumaru.co.jp/index.top=01-007 」になる。なお、第１事業体Ｂ１のウェブサーバ１０のＤＢ１１にはプロモーション管理ＩＤとそのプロモーション先（広告バナーを出しているウェブサイト名）とを対応付けて登録してあるプロモーション管理テーブル１１０が記憶されている。
【００９０】
図５はプロモーション管理テーブル１１０の登録内容の一例を示す模式図である。この例では、プロモーション以外の（たとえば第１事業体Ｂ１自身が発行した電子メールに埋め込まれたＵＲＬからの）プロモーション管理ＩＤ、上述の第２事業体Ｂ２が運営するウェブサーバ２０の「インターネットオークションのページ」のプロモーション管理ＩＤ、「町内商店街」のプロモーション管理ＩＤ等が登録されている。また、各プロモーション管理ＩＤに対応して計数値が記憶されている。この計数値については後述する。
【００９１】
ウェブサーバ１０のＣＰＵ１２は新規アクセスに使用されたＵＲＬにプロモーション管理ＩＤが付加されていない場合は（ステップＳ１２でＮＯ）、一般的なウェブページの表示処理を行なう（ステップＳ１３の「他の処理」）。一方、新規アクセスに使用されたＵＲＬにプロモーション管理ＩＤが付加されている場合は（ステップＳ１２でＹＥＳ）、ＣＰＵ１２は外部からの新たなアクセスの都度、トップページのアクセスログに対して「訪問者ＩＤ」を発番する（ステップＳ１４）。具体的には、トップページがアクセスされたことにより、ＤＢ１１に記憶されているアクセスログファイル１１１のトップページのアクセスログに対して一意のＩＤを所定のアルゴリズムに従って発生させ、これを訪問者ＩＤとして発番する。
【００９２】
次にＣＰＵ１２は、新規アクセスに使用されたＵＲＬに付加されているプロモーション管理ＩＤと、上述のステップＳ１４で発番した訪問者ＩＤとを対応付けて、ＤＢ１１に記憶されている訪問者管理テーブル１１２に登録する（ステップＳ１５）。図６は訪問者管理テーブル１１２の登録内容の一例を示す模式図である。この例では、「０００１」の訪問者ＩＤに対応付けてプロモーション管理ＩＤ「０１−００７」が、また「０００２」の訪問者ＩＤに対応付けてプロモーション管理ＩＤ「０１−００１」がそれぞれ登録されている。従って、この訪問者管理テーブル１１２の登録内容からは、訪問者ＩＤが「０００１」の訪問者（ユーザコンピュータ１のユーザ）のプロモーション管理ＩＤが「０１−００７」である「インターネットオークションのページ」から、即ち第２事業体Ｂ２のウェブサーバ２０から第１事業体Ｂ１のウェブサーバ１０へアクセスしたことが判明する。
【００９３】
次にウェブサーバ１０のＣＰＵ１２は、新規アクセスされたＵＲＬに従ってトップページを表示するためのコンテンツをＨＤ１５から読み出してユーザコンピュータ１へ送信する。これにより、ユーザコンピュータ１の画面には図１０に示すような第１事業体Ｂ１のホームページのトップページが表示される（ステップＳ１６，ステップＳ１７でＮＯ）。この第１事業体Ｂ１のウェブサイト（ホームページ）のトップページには、「会員登録受付け」及び「会員の方のページ」という同一のウェブサイト内の他のページへアクセスするリンクＬ２が表示されている。ここで、ユーザコンピュータ１のユーザがいずれかのリンクをクリックするとクリックされたリンクのＵＲＬで指定されるウェブページがアクセスされる。
【００９４】
なお、ＣＰＵ１２は、トップページから他のページへのアクセスを受け付けると（ステップＳ１７でＹＥＳ）、現在アクセス中の訪問者ＩＤが付加されたアクセスログをまとめてグループ化した訪問者ページ遷移テーブル１１３を作成し、ＤＢ１１に記憶させる（ステップＳ１８）。図７はこの訪問者ページ遷移テーブル１１３の内容の一例を示す模式図であり、「０００１」の訪問者ＩＤがアクセスしたＵＲＬのアクセスログがまとめられている。但し、図７に示す例では、「０００１」の訪問者ＩＤによるアクセスが更に進んだ状態を示している。
【００９５】
ユーザコンピュータ１のユーザが図１０の画面上で「会員の方のページ」をクリックすると、ＣＰＵ１２はＤＢ１１に記憶されているアクセスログファイル１１１中のアクセス先のページのアクセスログに訪問者ＩＤを付加し（ステップＳ１９）、このアクセスログが訪問者ページ遷移テーブル１１３の「０００１」の訪問者ＩＤの欄に追加登録され（ステップＳ２０）、その後にＣＰＵ１２がアクセス先のウェブページ（次ページ）を表示する（ステップＳ２１）。この場合、ユーザコンピュータ１には図１１に示すように、「会員認証画面」が表示される。この画面上で、図３及び図４のフローチャートには示さないが、ユーザが各項目に必要な情報を入力して「ＯＫ」ボタンをクリックすると、ＣＰＵ１２はユーザコンピュータ１の画面に入力された情報とＤＢ１１に登録されている会員情報とを照合して認証を行ない、認証が確認されれば次のウェブページが表示される。即ち、図１１に示す画面では、「ＯＫ」ボタンが他のページへのアクセスを受け付ける手段となる。
【００９６】
このようにしてユーザがユーザコンピュータ１に表示される各ウェブページ上で他のページへのアクセスを受け付けるボタン、リンク等をクリックすることにより（ステップＳ２２でＮＯ，Ｓ２３でＹＥＳ）、ＣＰＵ１２は上述したステップＳ１９、Ｓ２０、Ｓ２１の処理を反復するので、新たなページが順次表示され、その都度、新たに表示されたページのアクセスログに訪問者ＩＤが付加され、そのアクセスログが訪問者ページ遷移テーブル１１３のその訪問者ＩＤの欄に順次登録されてゆく。
【００９７】
このようにしてやがてユーザがユーザコンピュータ１上に表示されているページ上で「終了」のボタンをクリックするか、第１事業体Ｂ１のウェブサーバ１０以外のウェブサーバへのアクセスを行なうか、またはウェブブラウザそのものを終了すると（ステップＳ２２でＹＥＳ）、ＣＰＵ１２はそれまでアクセスしていた訪問者ＩＤの訪問者ページ遷移テーブル１１３の欄の最後のアクセスログのＵＲＬを所定のＵＲＬと比較する（ステップＳ２４）。これは、たとえばユーザが融資の申し込みを完了した場合、即ち融資の申し込み用のページにおいて必要な情報を入力した上でその画面上の「完了」、「ＯＫ」等のボタンをクリックした場合のアクセス先のページ（申し込み完了を通知する内容）等のＵＲＬが比較対象として予め設定されており、たとえばＨＤ１５に格納されている制御ＳＷ内に記述されている。
【００９８】
具体的には、たとえばユーザがユーザコンピュータの画面上で融資の申し込みを行なうと、図１２に示すような確認画面が表示される。この確認画面上でユーザが「ＯＫ」ボタンをクリックすると図１３に示すような融資の申し込み完了をユーザに通知する画面が表示される。この図１３に示す画面のＵＲＬが上述の比較対象として予め設定されたＵＲＬである。
【００９９】
従って、ユーザコンピュータ１のユーザが融資の申し込みを完了した場合に次にアクセスされる図１３に示すようなページのＵＲＬが「５２０（ページのＵＲＬのみを示す）」である場合、図７に示されている訪問者ページ遷移テーブル１１３の最後のアクセスログのＵＲＬが「５２０」であるので、ステップＳ２４での比較結果が一致する（ステップＳ２５でＹＥＳ）。なお、ステップＳ２４での比較結果が一致しない場合は（ステップＳ２５でＮＯ）、ＣＰＵ１２は処理を終了する。
【０１００】
このような予め設定されているＵＲＬと訪問者ページ遷移テーブル１１３の欄の最後のアクセスログのＵＲＬとが一致した場合、ＣＰＵ１２は訪問者ＩＤに対応するプロモーション管理ＩＤを訪問者管理テーブル１１２から読み出し（ステップＳ２６）、この読み出したプロモーション管理ＩＤのプロモーション管理テーブル１１０の計数値を「１」インクリメントし (ステップＳ２７）、また読み出したプロモーション管理ＩＤに対応するプロモーション先をプロモーション管理テーブル１１０から読み出し（ステップＳ２８）、読み出したプロモーション先に対応してポイントテーブル１１４が記憶しているポイントに所定のポイントを加算する（ステップＳ２９）。
【０１０１】
図８はポイントテーブル１１４の記録内容を例示する模式図である。この例では、プロモーション先の「インターネットオークション」、「町内商店街」それぞれのポイントが「１２３」点、「５２」点であり、適宜のタイミング、たとえば１月単位でポイントに応じた金額が第１事業体Ｂ１からプロモーション先の第２事業体Ｂ２及び他のウェブサイトを運営している事業体へ広告費として支払われる。
【０１０２】
なお上述の例では、ユーザコンピュータ１からのアクセスが切断された場合に比較対象となるＵＲＬがユーザが融資の申し込みを完了した場合（「申し込み完了」）のページ（図１２）の次にアクセスされるページ（図１３）のＵＲＬとしているが、この後に融資のための審査が行なわれるのが一般的であるので、「契約の成立」した場合にアクセスされるページのＵＲＬとしたり、または更にその後の第１事業体Ｂ１側からユーザコンピュータ１のユーザへ実際に融資が行われた場合（「契約の成立に伴う行為の発生」、具体的には第１事業体Ｂ１からユーザコンピュータ１のユーザ宛に振り込みが行なわれた時点）とすることも可能である。
【０１０３】
それぞれのような場合には、図７に示されているように、訪問者ページ遷移テーブル１１３の訪問者ＩＤに対応して「来店客一連番号」を付与しておき、先に行なった会員認証の結果確認された会員を特定する情報とを組み合わせてＨＤ１１に登録しておき、第１事業体Ｂ１のウェブサイトのそれぞれに対応するページがアクセスされた時点でそれぞれのプロモーション先にポイントが加算されるようにすればよい。この場合の具体的な実施の形態については第２の実施の形態として後述する。また、ウェブサイトへのアクセスは、
図９に示すウェブページの広告バナー以外にも、各ユーザへ送信する電子メールにリンク部を設けるようにしてもよく、このリンク部としては、広告バナーは勿論のこと、直接的にリンクさせるウェブページのＵＲＬを表記することも可能である。この場合、リンク先には電子メールが相当することになる。
【０１０４】
ところで、上述の第１の実施の形態では、第１事業体Ｂ１はウェブサーバ１０のみで全ての処理を行なうようにしているが、セキュリティの観点から、また第１事業体Ｂ１の実際の事業運営形態等から、ウェブサーバ１０はウェブサイトの運営専用とし、他の処理はウェブサーバ１０とは異なるコンピュータシステムに行なわせるようにしてもよい。そのような第１の実施の形態の他の例に関して以下に説明する。
【０１０５】
図１４は、ウェブサーバ１０はウェブサイトの運用専用とし、他の処理をデータベースサーバ４０に行なわせる場合の他のウェブサーバ、コンピュータ、携帯電話機等との接続関係の概略を示す模式図である。
【０１０６】
この例では、ウェブサーバ１０に接続されたＤＢ１１にはウェブコンテンツとアクセスログファイルとが登録されており、データベースサーバ４０に接続されたデータベース４１にはプロモーション管理テーブル１１０、訪問者管理テーブル１１２、訪問者ページ遷移テーブル１１３、ポイントテーブル１１４が登録されている。従って、図３及び図４に示したフローチャートの内の、ステップＳ１５でのプロモーション管理ＩＤと訪問者ＩＤとを対応付けて訪問者管理テーブル１１２へ登録する処理、ステップＳ１８での訪問者ページ遷移テーブル１１３を作成する処理、ステップＳ２０での新たに訪問者ＩＤが付加されたページを訪問者ページ遷移テーブル１１３に登録する処理、ステップＳ２４での新たに訪問者ＩＤが付加されたページを訪問者ページ遷移テーブル１１３に登録する処理、ステップＳ２６での訪問者ＩＤに対応するプロモーション管理ＩＤを訪問者管理テーブル１１２から読み出す処理、ステップＳ２７での読み出したプロモーション管理ＩＤのプロモーション管理テーブル１１０の計数値を「１」インクリメントする処理、ステップＳ２８での読み出したプロモーション管理ＩＤに対応するプロモーション先をプロモーション管理テーブル１１０から読み出す処理、ステップＳ２９での読み出したプロモーション先に対応してポイントテーブル１１４が記憶しているポイントに所定のポイントを加算する処理はデータベースサーバ４０で行なわれる。
【０１０７】
更に、図１５は本発明方法の第２の実施の形態の実施環境、即ち本発明方法が実施されるウェブ（Ｗｅｂ）サーバ１０、データベースサーバ４０、メインサーバ５０、解析サーバ６０、コンピュータ、携帯電話機等との接続関係の概略を示す模式図である。この例では、ウェブサーバ１０に接続されたＤＢ１１及びデータベースサーバ４０に接続されたＤＢ４１の登録内容は前述の図１４に示した例と同様であり、データベースサーバ４０にメインサーバ５０及び解析サーバ６０が接続されていることが異なる。
【０１０８】
第２の実施の形態は、管理コンピュータに相当するサーバメインサーバ５０が「契約の成立」又は「契約の成立に伴う行為」のいずれかの事象の発生を管理しており、このような事象が発生した場合、成立した契約の申込に係るウェブサーバ１０へのアクセスに対するリンクを解析サーバ６０で特定するようにしたものである。
【０１０９】
なお、この例では、ウェブサーバ１０が図１３に示すような融資の申し込み完了をユーザに通知する画面が表示して、ユーザからの「終了」ボタンの操作を受け付けることで、申込完了を判断し、申込完了を通知する固有の番号、記号等からなる申込完了データをデータベースサーバ４０及びメインサーバ５０へ送信する処理を行っている。また、ウェブサーバ１０はデータベースサーバ４０へ申込完了データを送信する際には、申込完了に至ったアクセスに係る訪問者ＩＤに対応付けて申込完了データを送信している。
【０１１０】
また、メインサーバ５０にはメインＤＢ５１が接続されている。このメインＤＢ５１には、第１事業体Ｂ１が事業活動を遂行するために本来必要な種々のデータが登録されている。但し、ここでは第１事業体Ｂ１に会員登録している会員に関する情報、たとえば会員番号（カード番号）、氏名、ＩＤ、パスワード、住所、生年月日、電話番号、電子メールアドレス、過去の取引履歴等が登録された会員テーブル５１１と、会員との間で現在発生している貸借関係を登録した貸借テーブル５１２のみを示す。
【０１１１】
さらに、メインサーバ５０は、上述したように、ウェブサーバ１０から申込完了データを受け付けると、受け付けた申込完了データに対応する来店客一連番号（取引ＩＤに相当）を発番し、発番した来店客一連番号を申込完了データに対応付けてデータベースサーバ４０へ送信する。さらにまた、メインサーバ５０は、発番した来店客一連番号が付された顧客に対して第１事業体Ｂ１における事業で、「契約の成立」が発生した場合、又は融資等の「契約の成立に伴う行為」が発生した場合、その顧客の来店客一連番号を解析サーバ６０へ送信する処理を行う。
【０１１２】
また、データベースサーバ４０は、メインサーバ５０から送信されてきた来店客一連番号をウェブサーバ１０から送信される訪問者ＩＤ等に基づき作成した訪問者ページ遷移テーブル１１３に追加して記憶し、データベース４１に記憶している訪問者ページ遷移テーブル１１３及び上述した訪問者管理テーブル１１２を解析サーバ６０へ適宜送信する（この例では、午前０時に送信している）。なお、データベースサーバ４０は、図７に示すように来店客一連番号を訪問者ページ遷移テーブル１１３に追加する際には、上述した申込完了データ（図７には示さず）を参照しており、来店客一連番号に対応する申込完了データに共通の申込完了データに対応付けられた訪問者ＩＤへ来店客一連番号を追加するようにしている。
【０１１３】
解析サーバ６０は、各サーバ１０、４０、５０と同様な内部構成であり、ＣＰＵ、ＲＡＭ、ＲＯＭ、及びＨＤ（ハードディスク）等を備えると共に、ＨＤ（ハードディスク）に種々の情報を登録するためのデータベース（ＤＢ）６１が構築されている。なお、ＤＢ６１には、プロモーション管理テーブル１１０及びポイントテーブル１１４が予め記憶されている。解析サーバ６０は、データベースサーバ４０から送信されてくる訪問者ページ遷移テーブル１１３及び訪問者管理テーブル１１２に基づいて所要のアクセスに対するリンクの特定を行っており、特定するリンクはメインサーバ５０から送信されてくる来店客一連番号により判断している。
【０１１４】
即ち、解析サーバ６０は、メインサーバ５０から送信されてきた来店客一連番号に対応する訪問者ＩＤを、先ず図７に示す訪問者ページ遷移テーブル１１３から特定し、特定した訪問者ＩＤに対応するプロモーション管理ＩＤを図６の訪問者管理テーブル１１２から特定する。さらに、解析サーバ６０は、特定したプロモーション管理ＩＤに対応するプロモーション先（リンク）を図５のプロモーション管理テーブル１１０から特定する。なお、特定したプロモーション先に対するポイント追加処理は、第１の実施の形態と同様である。
【０１１５】
上述したような処理を各サーバ１０、４０、５０、６０が連携して行うことにより、第２の実施の形態では、第１事業体の事業において発生した「契約の成立」又は「契約の成立に伴う行為」に対する契約の申込を行ったアクセスを導いたプロモーション先を特定できるようになる。なお、上述した各サーバの処理は、各サーバに記憶された制御ＳＷに基づいて行われる。
【０１１６】
以下、上述した各処理の流れを、図１６乃至図２０のフローチャートを参照して説明する。なお、図１６及び図１７はウェブサーバ１０により、図１８はデータベースサーバ４０により、図１９はメインサーバ５０により、図２０は解析サーバ６０によりそれぞれ実行される処理を示すフローチャートである。また、以下の処理では、「契約の成立に伴う行為」の発生として第１事業体による顧客への融資が発生した場合で説明している。
【０１１７】
ウェブサーバ１０のＣＰＵ１２は、インターネットＩＮを介しての新規のアクセスを監視しており（ステップＳ１１１）、新規アクセスがあった場合（ステップＳ１１１でＹＥＳ）、そのアクセスが他のウェブサーバ、たとえば第２事業体Ｂ２のウェブサーバ２０経由であるか否か、または電子メール上の広告バナーからであるかを、新規アクセスのために受信したＵＲＬにプロモーション管理ＩＤが付加されているか否かにより判断する（ステップＳ１１２）。
【０１１８】
ウェブサーバ１０のＣＰＵ１２は新規アクセスに使用されたＵＲＬにプロモーション管理ＩＤが付加されていない場合は（ステップＳ１１２でＮＯ）、一般的なウェブページの表示処理を行なう（ステップＳ１１３の「他の処理」）。一方、新規アクセスに使用されたＵＲＬにプロモーション管理ＩＤが付加されている場合は（ステップＳ１１２でＹＥＳ）、ＣＰＵ１２は外部からの新たなアクセスの都度、トップページのアクセスログに対応して「訪問者ＩＤ」を発番する（ステップＳ１１４）。具体的には、トップページがアクセスされたことにより、ＤＢ１１に記憶されているアクセスログファイル１１１のトップページのアクセスログに対して一意のＩＤを所定のアルゴリズムに従って発生させ、これを訪問者ＩＤとして発番する。
【０１１９】
次にＣＰＵ１２は、新規アクセスに使用されたＵＲＬに付加されているプロモーション管理ＩＤと、上述のステップＳ１１４で発番した訪問者ＩＤとをデータベースサーバ４０へ送信する（ステップＳ１１５）。
【０１２０】
データベースサーバ４０では、このプロモーション管理ＩＤと訪問者ＩＤとを受信することにより（図１８のステップＳ２０１でＹＥＳ）、ＤＢ４１の訪問者管理テーブル１１２に訪問者ＩＤとプロモーション管理ＩＤとを対応付けて登録する（ステップＳ２０２）。なお、訪問者管理テーブル１１２の登録内容は前述した実施の形態の図６と同様である。
【０１２１】
次にウェブサーバ１０のＣＰＵ１２は、新規アクセスされたＵＲＬに従ってトップページを表示するためのコンテンツをＤＢ１１から読み出してユーザコンピュータ１へ送信する。これにより、ユーザコンピュータ１の画面には図１０に示すような第１事業体Ｂ１のホームページのトップページが表示されることは前述の実施の形態と同様である（図１６のステップＳ１１６，ステップＳ１１７でＮＯ）。この第１事業体Ｂ１のウェブサイト（ホームページ）のトップページには、「会員登録受け付け」及び「会員の方のページ」という同一のウェブサイト内の他のページへアクセスするリンクＬ２が表示されている。ここで、ユーザコンピュータ１のユーザがいずれかのリンクをクリックするとクリックされたリンクのＵＲＬで指定されるウェブページがアクセスされる。そして、ＣＰＵ１２は、トップページから他のページへのアクセスを受け付けると（ステップＳ１１７でＹＥＳ）、トップページのＵＲＬと訪問者ＩＤとをデータベースサーバ４０へ送信する（ステップＳ１１８）。
【０１２２】
データベースサーバ４０では、このトップページのＵＲＬと訪問者ＩＤとを受信することにより（図１８のステップＳ２０３でＹＥＳ）、受信した訪問者ＩＤ用の訪問者ページ遷移テーブル１１３を作成してＤＢ４１に登録する（ステップＳ２０４）。なお、訪問者ページ遷移テーブル１１３の登録内容は前述した実施の形態の図７と同様である。
【０１２３】
次に、前述した実施の形態と同様に、ユーザコンピュータ１のユーザが図１０の画面上で「会員の方のページ」をクリックすると、ＣＰＵ１２はＤＢ１１に記憶されているアクセスログファイル１１１中のアクセス先のページのアクセスログに訪問者ＩＤを付加し（ステップＳ１１９）、その訪問者ＩＤとアクセス先のページのＵＲＬとをデータベースサーバ４０へ送信する（ステップＳ１２０）。
【０１２４】
データベースサーバ４０では、この訪問者ＩＤとアクセス先のページのＵＲＬとを受信することにより（図１８のステップＳ２０５でＹＥＳ）、訪問者ページ遷移テーブル１１３の受信した訪問者ＩＤの欄に受信したＵＲＬを追加登録する（ステップＳ２０６）。
【０１２５】
次に、ウェブサーバ１０ではＣＰＵ１２がアクセス先のウェブページ（次ページ）を表示する（ステップＳ１２１）。このようにしてユーザがユーザコンピュータ１に表示される各ウェブページ上で他のページへのアクセスを受け付けるボタン、リンク等をクリックすることにより（ステップＳ１２２でＮＯ，Ｓ１２３でＹＥＳ）、ＣＰＵ１２は上述したステップＳ１１９、Ｓ１２０、Ｓ１２１の処理を反復するので、新たなページが順次表示され、その都度、新たに表示されたページのアクセスログに訪問者ＩＤが付加され、そのページのＵＲＬと訪問者ＩＤとがデータベースサーバ４０へ送信され、ＤＢ４１の訪問者ページ遷移テーブル１１３のその訪問者ＩＤの欄に順次登録されてゆく。
【０１２６】
このようにしてやがてユーザがユーザコンピュータ１上に表示されているページ上で「終了」のボタンをクリックするか、第１事業体Ｂ１のウェブサーバ１０以外のウェブサーバへのアクセスを行なうか、またはウェブブラウザそのものを終了すると（ステップＳ１２２でＹＥＳ）、ウェブサーバ１０のＣＰＵ１２はアクセスが終了したことをデータベースサーバ４０へ通知する（ステップＳ１２４）。なお、図１３に示す申込完了のページ上でユーザが「終了」のボタンをクリックしたとき、ウェブサーバ１０は、契約の申込完了と判断して、データベースサーバ４０及びメインサーバ５０に申込完了データを送信する。また、データベースサーバ４０は、送信されてきた申込完了データを対応する訪問者ＩＤに対応付けて記憶する処理を行う。
【０１２７】
また、メインサーバ５０は、図１９のフローチャートに示すように、ウェブサーバ１０から申込完了データを受信すると（ステップＳ３０１）、その申込完了データに対応付けて「来店客一連番号」を発番する（ステップＳ３０２）。次に、メインサーバ５０は、予め定められた融資条件及びユーザの認証結果等に基づき融資を行なうか否かの審査を行なう（ステップＳ３０３）。この審査は具体的には、メインサーバ５０のメインＤＢ５１の会員テーブル５１１及び貸借テーブル５１２の登録内容を参照して融資条件に基づき行われており、たとえば現在の融資残高、過去の利用実績、返済実績等を考慮して人手で、またはメインサーバ５０が所定のアルゴリズムに従って行なう。
【０１２８】
融資残高が多すぎる、または過去の返済実績が不良である等の理由により審査が不合格になった場合は（ステップＳ３０３でＮＯ）、メインサーバ５０は審査不合格を通知するメールをユーザのコンピュータ１へ送信し（ステップＳ３０４）、処理を終了する。一方、審査が合格になった場合は（ステップＳ３０３でＹＥＳ）、メインサーバ５０は審査合格を通知するメール（又は融資希望額の振込済みを通知するメール）をユーザのコンピュータ１へ送信し（ステップＳ３０５）、審査が合格になった顧客の「来店客一連番号」をデータバースサーバ４０へ申込完了データに対応づけて送信する（ステップＳ３０６）。
【０１２９】
データベースサーバ４０では、この「来店客一連番号」を受信することにより（図１８のステップＳ２０７）、受信した「来店客一連番号」を共通の申込完了データを手が掛かりにして訪問者ページ遷移テーブル１１３の対応する訪問者ＩＤの欄に追加して記憶し、午前０時になると、記憶する訪問者ページ遷移テーブル１１３及び訪問者管理テーブル１１２を解析サーバ６０へ送信し（ステップＳ２０８）、処理を終了する。
【０１３０】
また、図１９のフローチャートに戻り、メインサーバ５０は、審査に合格した顧客に対して第１事業体Ｂ１から融資が発生したと云うデータが入力されるか否かを判断する（ステップＳ３０７）。融資が発生していない場合は（ステップＳ３０７でＮＯ）、発生待ちの状態となり、融資が発生したと云うデータが入力された場合は（ステップＳ３０７でＹＥＳ）、融資が発生した顧客の「来店客一連番号」を解析サーバ６０へ送信し（ステップＳ３０８）、処理を終了する。
【０１３１】
最後に、図２０のフローチャートに示すように、解析サーバ６０は訪問者ページ遷移テーブル１１３及び訪問者管理テーブル１１２をデータベースサーバ４０から受信し（ステップＳ４０１）、解析サーバ６０からは「来店客一連番号」を受信する（ステップＳ４０２）。解析サーバ６０は受信した「来店客一連番号」に対応する訪問者ＩＤを訪問者ページ遷移テーブル１１３から特定し（ステップＳ４０３）、特定された訪問者ＩＤに対応するプロモーション管理ＩＤを訪問者管理テーブル１１２から読み出す（ステップＳ４０４）。次に解析サーバ６０は、訪問者管理テーブル１１２から読み出したプロモーション管理ＩＤのプロモーション管理テーブル１１０の計数値を「１」インクリメントし (ステップＳ４０５）、また読み出したプロモーション管理ＩＤに対応するプロモーション先をプロモーション管理テーブル１１０から読み出し（ステップＳ４０６）、読み出したプロモーション先に対応してポイントテーブル１１４が記憶しているポイントに所定のポイント値を加算する（ステップＳ４０７）。
【０１３２】
以上により、融資の発生に対して契約の申込が行われたアクセスを導いたプロモーション先へのポイントの付与を行なうことが可能になる。なお、上述した処理は、融資の発生以外にも、契約の成立に対して行うようにしてもよい。また、前述した「契約の申し込み完了」、「契約の成立」、「契約の成立に伴う行為」の各事象が発生した場合それぞれにおいてプロモーション先へポイントを付与するようにしてもよい。その際には、それぞれの場合に応じてポイントの値を異ならせるようにすることが望ましい。
【０１３３】
図２１、及び図２２は本発明に係るコンピュータプログラムの内容を示す模式図である。なお、図２１及び図２２に示したコンピュータプログラムは、具体的には第１の実施の形態において図２に示したウェブサーバ１０のＨＤ１５にインストールされている制御ＳＷであり、また、図２１に示したコンピュータプログラムは、第２の実施の形態においてウェブサーバ１０をウェブサイトの運営専用とした場合にはウェブサーバ１０及びデータベースサーバ４０により実行されるコンピュータプログラムとなる。この場合、ウェブサーバ１０のＨＤ１１とデータベースサーバ４０の図示しないＨＤとに分割して、または双方に共通にインストールしてもよい。
【０１３４】
本発明のコンピュータプログラムは、具体的には、それぞれ一意にＵＲＬが付与された複数のウェブページを含むウェブサイトを公開しており、外部からアクセスされた際のリンク関係を特定することが可能なプロモーション管理ＩＤ（リンクＩＤ）が付加されたＵＲＬにより指定されるウェブサイトの所定のページ（たとえばトップページ）に外部からアクセスすることが可能であり、ウェブサイトの各ページそれぞれに対するアクセス状況を記録したアクセスログをアクセスログファイル１１１としてＤＢ１１（又はＤＢ４１）に記憶しているウェブサーバ１０（又はデータベースサーバ４０）、ウェブサイトのアクセス履歴を記録させるためのコンピュータプログラムである。
【０１３５】
具体的には、図２１に示すコンピュータプログラムである制御ＳＷは第１の実施の形態においてはウェブサーバ１０に、また第２の実施の形態においてはウェブサーバ１０及びデータベースサーバ４０に、所定のページが外部から新規にアクセスされた場合に、所定のページのアクセスログに一意の訪問者ＩＤを付与させる第１の手順（Ｐ１）と、所定のページをアクセスしたＵＲＬに付加されているプロモーション管理ＩＤと、訪問者ＩＤとを対応付けてＤＢ１１（又はＤＢ４１）の訪問者管理テーブル１１２に記憶させる第２の手順（Ｐ２）と、外部からのアクセスに応じて所定のページを表示させる第３の手順（Ｐ３）と、所定のページを含むウェブサイトいずれかのページ上でウェブサイト内の他のウェブページへのアクセスを受け付けさせる第４の手順（Ｐ４）と、第４の手順（Ｐ４）でアクセスを受け付けたページのアクセスログに訪問者ＩＤを付加してＤＢ１１のアクセスログファイル１１１に記憶させる第５の手順（Ｐ５）と、同一の訪問者ＩＤが付加されたアクセスログをアクセス順に配列した訪問者ページ遷移テーブル１１３を生成させてＤＢ１１（又はＤＢ４１）に記憶させる第６の手順（Ｐ６）とを実行させる。
【０１３６】
また、図２２に示す制御ＳＷは第１の実施の形態においてはウェブサーバ１０に、ウェブサイトへのアクセスが切断された場合に、第６の手順（Ｐ６）で生成された訪問者ページ遷移テーブル１１３中の最後のアクセスログに対応するＵＲＬと、所定のＵＲＬとを比較させると共に、訪問者ページ遷移テーブル１１３中の最後のアクセスログに対応して「来店客一連番号」を付加する第７の手順（Ｐ７）と、第７の手順（Ｐ７）での比較結果が一致した場合に、比較対象のＵＲＬに付加されている訪問者ＩＤを訪問者ページ遷移テーブル１１３から読み出させる第８の手順（Ｐ８）と、第８の手順（Ｐ８）で読み出した訪問者ＩＤに対応付けてプロモーション管理テーブル１１０が記憶しているプロモーション管理ＩＤを読み出させる第９の手順（Ｐ９）とを実行させ、更に第９の手順（Ｐ９）で読み出したプロモーション管理ＩＤの数を、それぞれのプロモーション管理ＩＤ別にプロモーション管理テーブル１１０に記憶させる手順（Ｐ１０）を実行させ、プロモーション管理テーブル１１０に記憶されたそれぞれのプロモーション管理ＩＤの数に応じてそれぞれのプロモーション管理ＩＤにポイントを付与させる手順（Ｐ１１）を更に実行させる。
【０１３７】
なお、第２の実施の形態では、解析サーバ６０を省略した構成にすることも可能であり、この場合は、図２２に示す制御ＳＷうぃウェブサーバ１０及びデータベースサーバ４０の図示しないＨＤとに分割して、または双方に共通にインストールしてもよい。また、解析サーバ６０を省略した構成では、図２３に示したコンピュータプログラムをメインサーバ５０の図示しないＨＤにインストールすることになる。
【０１３８】
即ち、図２３に示すコンピュータプログラムは、解析サーバ６０を省略した構成においてメインサーバ５０に、ウェブサイトへのアクセスが切断された場合に、第７の手順でページ遷移テーブル１１３中の最後のアクセスログに付加された来店客一連番号を受信する手順（Ｐ１２）と、来店客一連番号に関して「契約成立」又は「契約成立に対する義務履行」のいずれかの事象が発生した場合に、当該来店客一連番号が付与されているページ遷移テーブル１１３から訪問者ＩＤを読み出させる手順（Ｐ１３）と、ページ遷移テーブル１１３から読み出した訪問者ＩＤに対応付けて訪問者管理テーブル１１２が記憶しているプロモーション管理ＩＤを読み出させる手順（Ｐ１４）とを実行させる。
【０１３９】
なお、メインサーバ５０により手順Ｐ１４が実行されてプロモーション管理ＩＤが読み出された後は、上述のデータベースサーバ４０が手順（Ｐ１０）以降の手順を実行してそれぞれのプロモーション管理ＩＤにポイントを付与させる。
【０１４０】
以上に詳述したように本発明によれば、従来一般的なクッキーを使用することなしに、従って、パーソナルコンピュータ用のウェブブラウザでクッキーの機能を有していない場合、クッキーの機能を有してはいても使用しない設定にしている場合、携帯電話機からのアクセスの場合等においても、ウェブサイトへのアクセスの履歴を追跡することが可能になる。
【０１４１】
また本発明によれば、ウェブサイトへのアクセスが切断された後に、ウェブサイトのトップページへいずれのウェブサーバ、または電子メールの広告バナーからアクセスしてきたかが容易に判明する。また本発明によれば、ウェブサイトのコンテンツは商取引に関するコンテンツであるので、「契約の申込み完了」のコンテンツを表示するページのＵＲＬがページ遷移テーブル中の最後のアクセスログに対応するＵＲＬと一致した場合に、リンクＩＤにポイントが付与される。従って、リンクしているウェブサイトを運営する事業体に公平に宣伝費用を配分することが可能になる。
【０１４２】
また本発明によれば、ウェブサイトのコンテンツは商取引に関するコンテンツであるので、「契約の契約成立」又は「契約の成立に伴う行為」のいずれかの事象が発生した場合に、対応する取引ＩＤから訪問者ＩＤが、更にこの訪問者ＩＤからリンクＩＤが読み出されるので、アクセスしてきたウェブサイトを運営する事業体に公平に宣伝費用を配分することが可能になる。
【０１４３】
また本発明によれば、トップページへの外部からのアクセスが他のウェブサーバのウェブページ上に表示されたバナーにより受け付けられるので、ウェブサイトのトップページへいずれのウェブサーバからアクセスしてきたかが容易に判明する。また本発明によれば、トップページへの外部からのアクセスが電子メールの広告バナーにより受け付けられるので、ウェブサイトのトップページへいずれの電子メールの広告バナーからアクセスしてきたかが容易に判明する。
【０１４４】
また本発明によれば、読み出されたリンクＩＤの数がそれぞれのリンクＩＤ別に記憶手段に記憶されるので、宣伝戦略の資料として有効に利用することが可能になる。また本発明によれば、記憶手段に記憶されたそれぞれのリンクＩＤの数に応じてそれぞれのリンクＩＤにポイントが付与されるので、宣伝費用の有効な利用が可能になる。
【０１４５】
また本発明によれば、ウェブサイトのコンテンツは消費者金融に関するコンテンツであるので、「契約の申込み完了」、「契約の成立」、「契約の成立に伴う行為」のいずれかのが事象が発生した場合に、リンクＩＤにポイントが付与される。従って、リンクしているウェブサイトを運営する事業体に公平に宣伝費用を配分することが可能になる。
【図面の簡単な説明】
【０１４６】
【図１】本発明方法の第１の実施の形態の実施環境、即ち本発明方法が実施されるウェブサーバと他のウェブサーバ、コンピュータ、携帯電話機等との接続関係の概略を示す模式図である。
【図２】第１事業体が運営するウェブサーバのハードウェア構成を示すブロック図である。
【図３】ユーザコンピュータからアクセスがあった場合の本発明方法の第１の実施の形態の実行手順を示すフローチャートである。
【図４】ユーザコンピュータからアクセスがあった場合の本発明方法の第１の実施の形態の実行手順を示すフローチャートである。
【図５】プロモーション管理テーブルの登録内容の一例を示す模式図である。
【図６】訪問者管理テーブルの登録内容の一例を示す模式図である。
【図７】訪問者ページ遷移テーブルの内容の一例を示す模式図である。
【図８】ポイントテーブルの記録内容を例示する模式図である。
【図９】ユーザコンピュータに表示される画面の模式図である。
【図１０】ユーザコンピュータに表示される画面の模式図である。
【図１１】ユーザコンピュータに表示される画面の模式図である。
【図１２】ユーザコンピュータに表示される画面の模式図である。
【図１３】ユーザコンピュータに表示される画面の模式図である。
【図１４】本発明方法の第１の実施の形態の実施環境、即ち本発明方法が実施されるウェブサーバと他のウェブサーバ、コンピュータ、携帯電話機等との接続関係の他の例の概略を示す模式図である。
【図１５】本発明方法の第２の実施の形態の実施環境、即ち本発明方法が実施されるウェブサーバと他のウェブサーバ、コンピュータ、携帯電話機等との接続関係の概略を示す模式図である。
【図１６】ユーザコンピュータからアクセスがあった場合の本発明方法の第２の実施の形態のウェブサーバによる実行手順を示すフローチャートである。
【図１７】ユーザコンピュータからアクセスがあった場合の本発明方法の第２の実施の形態のウェブサーバによる実行手順を示すフローチャートである。
【図１８】ユーザコンピュータからアクセスがあった場合の本発明方法の第２の実施の形態のデータベースサーバによる実行手順を示すフローチャートである。
【図１９】ユーザコンピュータからアクセスがあった場合の本発明方法の第２の実施の形態のメインサーバによる実行手順を示すフローチャートである。
【図２０】ユーザコンピュータからアクセスがあった場合の本発明方法の第２の実施の形態の解析サーバによる実行手順を示すフローチャートである。
【図２１】本発明のコンピュータプログラムの内容を示す模式図である。
【図２２】本発明のコンピュータプログラムの内容を示す模式図である。
【図２３】本発明のコンピュータプログラムの内容を示す模式図である。
【符号の説明】
【０１４７】
１  ユーザコンピュータ
２  携帯電話機
１０  ウェブサーバ
１１  ＣＰＵ
１２  データベース（ＤＢ）
２０  ウェブサーバ
４０  データベースサーバ
４１  データベース（ＤＢ）
５０  メインサーバ
５１  メインデータベース
６０  解析サーバ
６１  データベース（ＤＢ）
１１０  プロモーション管理テーブル
１１１  アクセスログファイル
１１２  訪問者管理テーブル
１１３  訪問者ページ遷移テーブル
１１４  ポイントテーブル
Ｂ１  第１事業体
Ｂ２  第２事業体
【図１】
2007109097.tif 000003
【図２】
2007109097.tif 000004
【図３】
2007109097.tif 000005
【図４】
2007109097.tif 000006
【図５】
2007109097.tif 000007
【図６】
2007109097.tif 000008
【図７】
2007109097.tif 000009
【図８】
2007109097.tif 000010
【図９】
2007109097.tif 000011
【図１０】
2007109097.tif 000012
【図１１】
2007109097.tif 000013
【図１２】
2007109097.tif 000014
【図１３】
2007109097.tif 000015
【図１４】
2007109097.tif 000016
【図１５】
2007109097.tif 000017
【図１６】
2007109097.tif 000018
【図１７】
2007109097.tif 000019
【図１８】
2007109097.tif 000020
【図１９】
2007109097.tif 000021
【図２０】
2007109097.tif 000022
【図２１】
2007109097.tif 000023
【図２２】
2007109097.tif 000024
【図２３】
2007109097.tif 000025